(57)【特許請求の範囲】
【請求項１】
建造物の側壁に埋設し、直接照射を避けるように室内外の空間に向けて光を照射する照明器具において、
前記照明器具は、縦導光部と横導光部とからなる断面略Ｌ字型の照明器具本体と、光照射部となる光源と、光源からの照射光を反射する第一反射部と、第一反射部が反射した照射光を更に反射して照明器具本体外である室内外の空間へ導出照射する第二反射部と、第二反射部が設置される壁面近傍に設けられた光照射口となる開口とからなり、
前記光源から照射された光が、前記第一反射部に照射されて入射角と対称に反射して第二反射部に照射され、さらに前記第二反射部から反射し光照射口から室内外の空間へ導出するように、前記光源が縦導光部内に向けて縦導光部の最奥中央部に配置され、前記第一反射部が前記光源からの光照射を受けるとともに前記第二反射部方向へ光を反射するように縦導光部と横導光部の一方の角部近傍に斜めに設置され、さらに、前記第二反射部が前記第一反射部から照射される光を受けて前記光照射口へ反射導出するように第一反射部に対向する横導光部の最奥角部近傍に斜めに設置される構成であり、
前記横導光部は、透光性を有する角柱体からなるとともに該角柱体内を光源からの照射光が導通し、前記角柱体は照射光の通過する長手方向の両端面をそれぞれ長手方向の内側に向かって４５度の角度で内向き斜面に切削し、それぞれの対向する斜断面を第一反射部および第二反射部とする台形プリズムまたは直角プリズムからなることを特徴とする照明器具。
【請求項２】
前記角柱体は、斜断面の形成された角柱体が横断面逆台形または横断面逆三角形からなることを特徴とする請求項１記載の照明器具。
【請求項３】
前記光源は、単一または複数のＬＥＤからなることを特徴とする請求項１または請求項２記載の照明器具。
【請求項４】
建造物の巾木部分の壁内および床下に埋設し、直接照射を避けるように室内外の空間に向けて光を上方に照射する照明器具において、
前記照明器具は、縦導光部と横導光部とからなる断面略Ｌ字型の照明器具本体と、光照射部となる光源と、光源からの照射光を反射する第一反射板と、第一反射板が反射した照射光を更に反射して照明器具本体外である室内外の空間へ導出照射する第二反射板と、第二反射板の装着された壁面の近傍に設けられた上方に向けた光照射口となる開口とからなり、
光照射部を床面より高い位置に配置して、光照射部の水没を防ぐとともに修理を容易にするために、光照射部を第一反射板と第二反射板と光照射口より高い位置に配置し、前記光源から照射された光が、前記第一反射板に照射されて入射角と対称に反射して第二反射板に照射され、さらに前記第二反射板から反射し光照射口から室内外の空間へ導出するように、前記光源を縦導光部内に向けて縦導光部の最奥中央部に配置し、前記第一反射板を前記光源からの光照射を受けるとともに前記第二反射板方向へ光を反射するように縦導光部と横導光部の一方の角部に斜めに設置し、さらに、前記第二反射板を前記第一反射板から照射される光を受けて上方に開口する前記光照射口へ反射導出するように第一反射板に対向する横導光部の最奥角部に第一反射板と対称となる向きに斜めに設置した構成であることを特徴とする照明器具。
【発明の詳細な説明】
【技術分野】
【０００１】
本発明は、建造物の側壁に埋設する照明器具に関し、特に、光を反射可能な複数の反射体を介して、光源から発せられる光の照射角と導出される光の照射角を変えることにより、光源のメンテナンス性や安全性が高く、かつ幅広い用途に対応することを可能とした、視覚的効果にも優れた間接的な光の照射を可能とした照明器具に関する。
【背景技術】
【０００２】
従来より、照明器具には多くの種類があり、用途に応じて様々な形状や構造の照明器具が用いられている。その中で、照射対象物に直接光を照射しない間接照明においては、あらゆる照射方向を可能とし、また、あらゆる設置場所に対応可能とした、視覚的効果にも優れた様々な構造の照明器具が存在している。【０００３】
通常の照明器具は、空間に設置して対象物を直接照射して明るく可視化するのを主目的としているが、設置場所や照射方向、照射方法を通常の照明器具と異なる構造にすることで、空間内に均等に光を放射する事を可能とする照明器具や、空間内を明るくするだけではなく空間の視覚的効果を演出することを可能とした照明器具が存在する。【０００４】
例えば、特開２０１０−１９２３８８号では、ＬＥＤの照射方向以外の複数方向にも光を照射して配光を調整することのできる照明器具であって、ＬＥＤ光源部から一方向へ照射された光の一部を、半反射部材を透過して一方の照射開口から照射するとともに、半反射部材で反射した光を他方の照射開口から照射することにより、複数方向に光を照射する照明器具に関する技術が開示されている。【０００５】
この技術によると、建造物等の壁面に照明器具を設置した場合、光源として指向性の高いＬＥＤを用いた場合であっても複数方向に光を照射し配光を調整することが可能となるが、壁や床内に埋め込んで使用する場合には配光調整が困難になるという問題点が存在する。また、メンテナンス性については考慮されておらず、壁や床に埋め込んで使用する場合において光源の交換などのメンテナンスが困難となる問題点があった。【０００６】
また、特開２０１１−３５４７号では、ＬＥＤ光源で発生した熱を効率良く放熱することができると共に、照明する空間の温度がその放熱により上昇してしまうのを防止することができる建築物用の照明装置として、床と内壁部との中間にある巾木部分に設置され、ＬＥＤ光源からの照明光束を反射して室内を照らすとともに、ＬＥＤ光源から発せられる熱を蓄熱部で蓄熱した後、放熱部から熱を放熱する技術が開示されている。【０００７】
この技術によると、発生した熱を放熱して照明機器を安全に使用することが可能となるが、光源のメンテナンス（修理・交換）の観点からは充分に便利な技術という事は出来なかった。また、床下に埋め込んだ状態での使用を想定していないことから、構造上、光が室内に居る人間に直接照射されることになるため、柔らかく室内を照らすような効果を得ることが出来ないという問題点もあった。【０００８】
埋め込み型の照明器具には、安全性およびメンテナンス性が求められ、更に照明器具としての効能を十分に果たす機能性も求められる。
そこで、構造が複雑になり過ぎず、かつ、安全でよりメンテナンス性が高く、かつ、あらゆる建造物に使用できる使い勝手のよい照明器具の開発が望まれていた。
【特許文献１】特開２０１０−１９２３８８号公報
【特許文献２】特開２０１１−３５４７号公報
【発明の開示】
【発明が解決しようとする課題】
【０００９】
本発明は上記問題を解決するために、照明器具であって、特に、光を反射可能な複数の反射部を備えた反射体を介して、光源から発せられる光の照射角と外部への光の照射角を変えるとともに光照射部を床面より高い位置に配置することにより、光照射部の水没を防止でき、光源のメンテナンス性や安全性が高く、かつ幅広い用途に対応することを可能とした、視覚的効果にも優れた間接的な光の照射を行う照明器具を提供する。
【課題を解決するための手段】
【００１０】
上記の目的を達成するために本発明に係る照明器具は、建造物の側壁に埋設し、直接照射を避けるように室内外の空間に向けて光を照射する照明器具であって、前記照明器具は、縦導光部と横導光部とからなる断面略Ｌ字型の照明器具本体と、光照射部となる光源と、光源からの照射光を反射する第一反射部と、第一反射部が反射した照射光を更に反射して照明器具本体外である室内外の空間へ導出照射する第二反射部と、第二反射部が設置される壁面近傍に設けられた光照射口となる開口とからなり、前記光源から照射された光が、前記第一反射部に照射されて入射角と対称に反射して第二反射部に照射され、さらに前記第二反射部から反射し光照射口から室内外の空間へ導出するように、前記光源が縦導光部内に向けて縦導光部の最奥中央部に配置され、前記第一反射部が前記光源からの光照射を受けるとともに前記第二反射部方向へ光を反射するように縦導光部と横導光部の一方の角部近傍に斜めに設置され、さらに、前記第二反射部が前記第一反射部から照射される光を受けて前記光照射口へ反射導出するように第一反射部に対向する横導光部の最奥角部近傍に斜めに設置される構成であり、前記横導光部は、透光性を有する角柱体からなるとともに該角柱体内を光源からの照射光が導通し、前記角柱体は照射光の通過する長手方向の両端面をそれぞれ長手方向の内側に向かって４５度の角度で内向き斜面に切削し、それぞれの対向する斜断面を第一反射部および第二反射部とする台形プリズムまたは直角プリズムからなる構成である。
【００１１】
また、前記角柱体は、斜断面の形成された角柱体が横断面逆台形または横断面逆三角形からなる構成である。
【００１２】
また、前記光源は、単一または複数のＬＥＤからなる構成である。
【００１３】
また、本発明に係る照明器具は、建造物の巾木部分の壁内および床下に埋設し、直接照射を避けるように室内外の空間に向けて光を上方に照射する照明器具であって、前記照明器具は、縦導光部と横導光部とからなる断面略Ｌ字型の照明器具本体と、光照射部となる光源と、光源からの照射光を反射する第一反射板と、第一反射板が反射した照射光を更に反射して照明器具本体外である室内外の空間へ導出照射する第二反射板と、第二反射板の装着された壁面の近傍に設けられた上方に向けた光照射口となる開口とからなり、光照射部を床面より高い位置に配置して、光照射部の水没を防ぐとともに修理を容易にするために、光照射部を第一反射板と第二反射板と光照射口より高い位置に配置し、前記光源から照射された光が、前記第一反射板に照射されて入射角と対称に反射して第二反射板に照射され、さらに前記第二反射板から反射し光照射口から室内外の空間へ導出するように、前記光源を縦導光部内に向けて縦導光部の最奥中央部に配置し、前記第一反射板を前記光源からの光照射を受けるとともに前記第二反射板方向へ光を反射するように縦導光部と横導光部の一方の角部に斜めに設置し、さらに、前記第二反射板を前記第一反射板から照射される光を受けて上方に開口する前記光照射口へ反射導出するように第一反射板に対向する横導光部の最奥角部に第一反射板と対称となる向きに斜めに設置した構成である。
【発明の効果】
【００１４】
本発明は、上記詳述した通りの構成であるので、以下のような効果がある。
１．照明器具本体を縦導光部と横導光部とからなる断面略Ｌ字型としたため、建築物の床と壁に接する巾木部分に埋設することが可能となる。また、光源から照射される光が第一反射部および第二反射部を介して室内外に照射される構造としたため、光源の配置場所を光照射口より上であって床面より高い位置に設定できるので、取り換え・メンテナンス性が向上するとともに、床下部分は各反射部を有する横導光部のみを埋設する構造となり、床の掘り込みを最小限に抑えた床下埋込み式の照明器具とすることが出来る。さらに、照射光が各反射部を介するため、光照射口に結露等が生じたり光照射口が水没しても、光源に影響はなく、継続して光を照射できるとともに、水分を介した漏電の危険性を低減することができる。
【００１５】
２．横導光部を透光性を有する角柱体である台形プリズムまたは直角プリズムとしたため、角柱体内を照射光が透過し、斜め４５度に切削されたプリズムの各端面を反射することとなり、横導光部内への異物の侵入を防ぐとともに、水中など水分が横導光部内に侵入し得る状況下においても影響を受けることなく固体中を光が反射して照射することが可能となる。
３．角柱体が、斜断面の形成された横断面逆台形または横断面逆三角形としたため、プリズムとしての機能を発揮して、効率的な光の反射を実現することが可能となる。【００１６】
４．光源を、単一または複数のＬＥＤとしたため、より長期に渡って安定した光の照射を行うことが可能となるとともに、間接照明でありながら充分な照度を確保できる。
【００１７】
５．板状部材からなる第一反射板および第二反射板を設けたため、光源から照射される光が第一反射板および第二反射板を介して室内外に照射されることとなり、角柱体（プリズム）を用いない簡易な板体を設置する構造で形成出来ると同時に、光の照射経路に結露等が生じても光源に影響を与えることなく光を照射できるとともに、光照射部の水没による漏電の危険性を低減することが可能となる。
【発明を実施するための最良の形態】
【００１８】
以下、本発明に係る照明器具を、図面に示す実施例に基づいて詳細に説明する。図１は、本発明に係る台形プリズムを用いた照明器具の側断面図であり、図２は、直角プリズムを用いた照明器具の側断面図である。図３は、板状部材の反射部を用いた照明器具の側断面図であり、図４は、照明器具の設置状態を示す斜視図である。
本発明の照明器具は、縦導光部１１０と横導光部１２０からなる照明器具本体１００と、光照射部１３０と、第一反射部１４０と、第二反射部１５０と、光照射口１６０とからなり、光源から発せられた光を複数の反射部を反射させて光の照射方向を変える事により、光源から発せられる光の照射角を外部への光の照射角に変えるとともに、光源の取り換えを含むメンテナンス性を高めた、安全かつ使い勝手の良い直射照明を避けた照明器具からなる。【００１９】
本発明に係る照明器具は、建築物の側壁面および床面に面一に揃うように建築物内の巾木部分に埋設して、眼を保護しつつ、雰囲気を和ませるため、直接照射を避けるように室内外の空間に向けて光を照射する照明器具である。照明器具本体１００は、図１乃至図３に示すように、縦導光部１１０と、横導光部１２０とから構成される断面略Ｌ字型の筐体からなる。【００２０】
縦導光部１１０は、光照射部１３０からの光を縦方向に誘導する縦長の部材であり、建築物の壁２２０の壁面に揃うように縦方向に進延する。また、横導光部１２０は、光照射部１３０からの光を横方向に誘導する横長の部材であり、建築物の床２３０の床面に揃うように壁２２０から離れる向きに横方向に進延する。【００２１】
照明器具本体１００は、建築物の巾木部分に埋設されるため、強度がある素材で構成するのが望ましい。本実施例では、その素材としてプラスチック等の合成樹脂を用いているが、これに限定されることはなく、例えばエポキシ樹脂や、アルミニウム、ステンレス等の金属で構成することも可能である。【００２２】
光照射部１３０は、光を照明器具本体１００内から光線を照射する光源であり、図１乃至図３に示すように、縦導光部１１０の最奥中央部である上端部１１２から縦導光部１１０内に向けて下向きに垂設される。光照射部１３０には電源ケーブル１３４が接続されており、上端部１１２から照明器具本体１００外へ結線され、建築物の壁２２０内を経由して電源（図示せず）に接続されている。この構成とすることにより、光照射口１６０より上であって床２３０の面より上の位置に光源が設置されることになるため、光源の断線・故障による交換・点検などのメンテナンスが極めて容易となる。また、床下配線を行わずに済むため、配線の煩雑さが解消されるとともに敷設経費も安くなり、設置後の配線の変更も容易となる。
【００２３】
縦導光部１１０の上端部１１２は、脱着または開閉可能な蓋状に構成することも可能である。これにより、上端部１１２から容易に光照射部１３０を取り出すことが可能となる。すなわち、光照射部１３０に異常が発生した場合であっても、照明器具本体１００の筐体を取り外すことなく、縦導光部１１０の上端部１１２を外すことにより容易に光照射部１３０を取り出し、光源の交換などのメンテナンスを行うことが可能となり、メンテナンス性に優れた照明器具を提供することが可能となる。【００２４】
横導光部１２０には、第一反射部１４０と、第二反射部１５０が設置される。第一反射部１４０は、光照射部１３０から照射された光を第二反射部１５０へ向けて反射するため、光を反射させることが可能な材質・形状からなり、図１乃至図３に示すように、第一反射部１４０が光照射部１３０からの光照射を受けるとともに第二反射部１５０方向へ光を反射するように、縦導光部１１０と横導光部１２０の一方の角部に傾斜角を設けて配置される。【００２５】
また、第二反射部１５０は、第一反射部１４０が反射した照射光を更に反射して、照明器具本体１００外である室内外の空間へ導出照射するための部材であり、光を反射させることが可能な材質・形状で構成されている。第二反射部１５０は、図１乃至図３に示すように、第二反射部１５０が第一反射部１４０から反射して照射された光を受けて光照射口１６０へ更に反射導出するように、第一反射部１４０に対向する横導光部１２０の最奥角部近傍に傾斜角を設けて配置される。【００２６】
第一反射部１４０および第二反射部１５０は、本実施例１では、後述するように、横導光部１２０内に角柱体からなる台形プリズム１２４ａまたは直角プリズム１２４ｂを配置し、プリズムの対向する斜断面をそれぞれ第一反射部および第二反射部とする構成となっている。これにより、光を効率よく反射して照明器具本体１００内を１８０度方向変換させながら透過させて室内外の空間へ導出照射することが可能となっている。【００２７】
光照射口１６０は、照明器具本体１００内を反射誘導された光を照明器具本体１００の外部へ導出するための開口であり、第二反射部１５０の装着された壁面の近傍に設けられる。光照射口１６０は、床２３０と一線となるよう並行に配置され、本実施例では、ここから上方向に向けて光が放出される構成である。【００２８】
光照射口１６０には、透光板１６２が敷設され、これにより照明器具本体１００が光を透過する状態で密封閉口される。これにより、外部から照明器具本体１００内へ、水や埃等が浸入することを防止するとともに、外観のデザイン性を高めることが可能となり、更に、床２３０と面一にすることにより、開口部分に躓いたり嵌ったりすることによる怪我を防ぐことが可能となる。【００２９】
透光板１６２は、本実施例ではその材質として透明または半透明のガラスを使用しているが、これに限定されることはなく、アクリル樹脂等を用いる事も可能である。また、本実施例では、透明ガラスを使用しているが、着色やマット加工をすることにより、様々な光の演出を行うことが可能となり、その交換も極めて簡便で、パーティーなどの必要によって変更することが考えられる。【００３０】
以上の構成により、光照射部１３０から照射された光線は、第一反射部１４０に照射されて、入射角と対称に反射して第二反射部１５０に照射されることになる。さらに、第二反射部１５０から光が反射されて、光照射部１３０から照射された光線は、光照射口１６０から室内外空間へ導出されることとなる。この構成とすることにより、仮に、結露や破損により照明器具本体１００内に水分が浸入した場合であっても、光照射部１３０に直接水分が接することがなくなり、機器の破損や漏電の危険を回避する事が可能となり、床下を深く掘り下げる事なく安全性の高い照明器具を設置することが可能となるとともに機器特に光照射部１３０の寿命を長くすることが出来る。また、屋外に設置することも可能となる。また、光照射部１３０の配置場所を光照射口１６０より上の位置に設定できるので、取り換えや修理などのメンテナンス性が向上する。
【００３１】
本発明は、照明器具本体１００を上記のような構造としたため、施工が容易となる。すなわち、通常の床埋込型の照明器具は、光照射部１３０自体を床下に埋め込むため、躯体の床が浅い構造の建築物の場合にあっては取り付けが不可能という問題があったが、本発明の照明器具本体１００によると、床下部分は、複数の反射部からなる横導光部１２０のみを埋設すれば済むため、床の掘り込み寸法を浅くすることが可能となり、施工が従来と比べて極めて容易かつ安価となった。また、改装時に施工する場合でも同様に、掘り込みを最小限に抑えることで設置が出来るため、施工が容易となる。【００３２】
第一反射部１４０および第二反射部１５０は、図１および図２に示すように、横導光部１２０内に配置された角柱体１２２からなる台形プリズム１２４ａまたは直角プリズム１２４ｂであって、プリズムの対向する斜断面をそれぞれ第一反射部１４０および第二反射部１５０とした構成である。すなわち、横導光部１２０は、内部に透光性を有する角柱体１２２が配置され、該角柱体１２２内を光源からの照射光が透過導通する。前記角柱体１２２は、照射光の通過する長手方向の両端面をそれぞれ長手方向の内側に向かって４５度の角度で内向き斜面に切削した形状となっており、それぞれの対向する斜断面を第一反射部１４０および第二反射部１５０とした構成となっている。
【００３３】
この構成とすることにより、プリズムの特性から光は角柱体１２２内（プリズム内）を９０度の向きに２回ほど反射して透過導光し、外部へ照射されることになる。プリズムが固体であるため、導光路に障害物が侵入する危険が排除され、あらゆる環境において安定した光の照射を継続することが可能となる。また、プリズムによって導光路が構成されるため、反射角のずれや反射部材の破損による照射不能状態を回避することが可能となり、環境からの影響を受け難い安定した光の照射が実現可能となる。【００３４】
なお、角柱体１２２は、透光性を有する部材であり、その材質としてガラスや水晶を用いる事が考えられるが、これに限定されるものではなく、アクリル等からなるプリズムを用いる事も可能である。また、本実施例では角柱体１２２を無色透明としているが、これに限定されることはなく、赤、青、緑等、着色しつつ透光性を有する状態で使用することも可能である。これにより、視覚的効果に優れた様々なイメージの空間演出を実現することが可能となる。【００３５】
角柱体１２２は、図１および図２に示すように、斜断面が形成されており、横断面逆台形または横断面逆三角形からなる構成となっている。すなわち、角柱体１２２を、図１に示すように、横断面逆台形（台形プリズム１２４ａ）に形成する事により、横導光部１２０の長さを確保することが可能となる。これにより、光照射口１６０の面積を広げたり、光照射口１６０の位置を壁から離すことや、厚い壁２２０を介した壁面内部に縦導光部１１０を格納することが可能となる。
また、角柱体１２２を、図２に示すように横断面逆三角形（直角プリズム１２４ｂ）に形成する事により、コンパクトな照明器具を構成する事が可能となる。【００３６】
本発明の実施例２として、第一反射部１４０および第二反射部１５０は、板状部材の第一反射板１４１および第二反射板１５１とすることが可能である。すなわち、横導光部１２０には、第一反射板１４１と、第二反射板１５１が設置される構成となっている。第一反射板１４１は、光照射部１３０から照射された光を第二反射板１５１へ向けて反射する鏡状の部材であり、図３に示すように、第一反射板１４１が光照射部１３０からの光照射を受けるとともに第二反射板１５１方向へ光を反射するように、縦導光部１１０と横導光部１２０の一方の角部に斜めに設置される。【００３７】
また、第二反射板１５１は、第一反射板１４１が反射した照射光を更に反射して、照明器具本体１００外である室内外の空間へ導出照射するための鏡状の部材である。第二反射板１５１は、図３に示すように、第二反射板１５１が第一反射板１４１から反射して照射された光を受けて上方に開口する光照射口１６０へ更に反射導出するように、第一反射部１４１に対向する横導光部１２０の最奥角部に斜めに設置される。
【００３８】
第一反射板１４１および第二反射板１５１は、光を反射するため、本実施例では鏡状の部材を用いているが、これに限定されるものではなく、例えば、表面をスモーク加工とすることにより、反射する光の照度を低減することも考えられる。これにより、室内外の空間に導出する光を柔らかいものに調整することが可能となる。すなわち、視覚的効果に優れた間接的な光の照射を行う照明器具を容易に実現することが可能となる。【００３９】
光照射部１３０の光源は、本実施例では、単一または複数のＬＥＤ１３２からなる構成を採用している。ＬＥＤは、光線の指向性が高いため、本発明のようなプリズムや複数の反射板を介した照明器具に適している。また、照度が十分あり、耐久性にも優れており、消費電力も少ないという利点がある。光源となる光照射部１３０に設置するＬＥＤは、用途や必要とする照度に応じて、単一とすることも可能であり、複数配置することもできる。【００４０】
第一反射部１４０および第二反射部１５０を板状部材からなる鏡によって構成する場合、第一反射板１４１および第二反射板１５１は、横導光部１２０の角部に角度変更可能に設置する構成とすることが可能である。例えば、図３に示すように、第一反射板１４１に第一軸体１４２を設け、第二反射板１５１に第二軸体１５２を設け、それぞれの反射板を横導光部１２０の角部に軸着する。この構成とすることにより、光照射部１３０から照射された光線や、第一反射板１４１から反射された光線の照射角度を変更することが可能となり、あらゆる方向で光照射口１６０から室内外空間へ光を導出することが可能となる。【００４１】
本発明に係る照明器具は、図４に示すように、建築物の壁２２０と床２３０が交差する巾木２１０部分に壁内および床下に埋設することにより、アッパーライトとして使用される照明器具として利用することが出来る。また、本照明器具は、図１乃至図３に示すように、ライトゲージスタッド２５０（ＬＧＳ）に設置することも可能であり、電源ケーブルは、ライトゲージスタッド２５０近傍の隙間を通して電源（図示せず）に接続することができるので、床下配線の手間を省き、施工もメンテナンスも容易となる。【００４２】
また、床２３０と光照射口１６０は、凹凸のない一つの面となるように構成されており、縦導光部１１０の照射口１６０側は、巾木２１０と同寸または一体とすることも可能である。【００４３】
照明器具本体１００は、図４に示すように、巾木２１０と一体になるパネル部材２１２を縦導光部１１０に接合するとともに、照明器具本体１００が建築物から脱着可能となるように構成することが可能である。このような構成とすることにより、照明器具の設置時には巾木２１０と一体となり、かつ容易に取り外しが可能となり、デザイン性に優れた照明器具とすることが可能となり、建築物の改装時であっても既存の床を多少掘り込む程度で容易に設置することが可能となる。【００４４】
本発明の照明器具は、実施例として、屋内外の壁２２０と床２３０が接するあらゆる箇所に設置することが考えられ、また、照明器具を連続して取り付けることが考えられる。すなわち、容易設置が可能な構成であるとともにメンテナンス性に優れているため、長い壁面であっても壁に沿って複数個の照明器具を連続して設置することが可能であり、充分な照度が確保でき、デザイン性の高い屋内外空間を演出する照明器具を提供することが可能となる。【００４５】
また、本発明の別の実施例として、建築物等の床以外の箇所に設置することが考えられる。例えば、建築物内の棚等の上に設置する事も可能であり、デザイン性の高い間接照明として使用することが可能である。また、照明器具本体１００の設置方向を変更する事も可能であり、天井部分に下向き或いは横向きに光を照射するように設置する事が可能である。いずれの場合であっても、設置が容易であり、デザイン性およびメンテナンス性に富んだ照明器具を増設・付加・変更することが可能となる。
【図面の簡単な説明】
【００４６】
【図１】本発明に係る台形プリズムを用いた照明器具の側断面図
【図２】直角プリズムを用いた照明器具の側断面図
【図３】板状部材の反射部を用いた照明器具の側断面図
【図４】照明器具の設置状態を示す斜視図
【符号の説明】
【００４７】
１００  照明器具本体
１１０  縦導光部
１１２  上端部
１２０  横導光部
１２２  角柱体
１２４ａ  台形プリズム
１２４ｂ  直角プリズム
１３０  光照射部
１３２  ＬＥＤ
１３４  電源ケーブル
１４０  第一反射部
１４１  第一反射板
１４２  第一軸体
１５０  第二反射部
１５１  第二反射板
１５２  第二軸体
１６０  光照射口
１６２  透光板
２１０  巾木
２１２  パネル部材
２２０  壁
２３０  床
２４０  スラブ
２５０  ライトゲージスタッド
【図１】
0005769826.tif 000002
【図２】
0005769826.tif 000003
【図３】
0005769826.tif 000004
【図４】
0005769826.tif 000005